(57)【特許請求の範囲】
【請求項１】
収納箱内にトイレットロールが収納されたトイレットロール製品であって、
前記収納箱は、トイレットロールの周面が対面する面に取り出し口又は取り出し口形成ミシン目線を有し、かつ、その取り出し口又は取り出し口形成ミシン目線を箱内面から覆う外側フィルム及び内側フィルムとを有し、前記外側フィルムと内側フィルムとは、前記取り出し口又は取り出し口形成ミシン目線の範囲内においてその縁部同士が互い違いに重なりあって、内部に収納されたトイレットロールを引出し可能とするスリット口を形成し、かつ前記取り出し口又は取り出し口形成ミシン目線の裂開により形成される取り出し口の縁をヒンジとする封止片を有し、
前記内側フィルム及び外側フィルムの、厚みが１５０〜２５０μｍであり、強度が１５０〜２５０ｋｇ／ｃｍ2であり、モジュラスが１５ｋｇ／ｃｍ2〜５０ｋｇ／ｃｍ2であり、前記内側フィルム及び外側フィルムの少なくとも一方は前記重なり合う部分が粗面化されていることを特徴とするトイレットロール製品。
【請求項２】
取り出し口又は取り出し口形成ミシン目線の裂開により形成される取り出し口の縁をヒンジとする封止片の先端部が、収納箱に収められたトイレットロールの軸心と平行な折り筋を介して、収納箱内面側に向かって屈曲可能に構成されている請求項１記載のトイレットロール製品。
【請求項３】
内側フィルムの収納箱内面側に隣接して抑え片が取り出し口範囲に延在され、前記封止片を取り出し口に押し当てたさいに、前記抑え片が封止片を支持するように構成されている請求項１記載のトイレットロール製品。
【請求項４】
前記粗面化が、エンボス加工、熱処理加工によるものである請求項１記載のトイレットロール製品。
【請求項５】
前記内側フィルム及び外側フィルムが、エチレン酢酸ビニル共重合体フィルム、ポリプロピレンフィルム、二軸延伸ポリプロピレンフィルムの何れかである請求項１記載のトイレットロール製品。
【発明の詳細な説明】
【技術分野】
【０００１】
本発明は、トイレットロールを収納箱に収納したトイレットロール製品に関する。
【背景技術】
【０００２】
帯状の水解性衛生薄葉紙をロール状にしたトイレットロールはよく知られるところである。このトイレットロールは、消耗品であること、さらに常備されている必要性があることから、４〜１８ロール程度の個数をセットとして市販されている。
そして、トイレットロールは、嵩張る製品であるとともに上述のとおり比較的多くの個数がセットで販売されるため、購入後に新たな包装をせずにそのまま持ち帰りができるように、取っ手が設けられたフィルム包装形態で市販に供される。
また、トイレットロールは、４〜１８ロールと多くの個数がセット包装された販売されていることから商品陳列スペースの多い、ホームセンターやスーパーマーケットでの販売が主であった。
しかしながら、近年、いわゆるコンビニエンスストアが普及し、高齢者の増加や一人暮らしの若年層の生活スタイルの変化等とも相まって、かかるコンビニエンスストアにおいて日用品であるトイレットペーパーを購入したいという要望が高まってきている。
しかしながら、従来のトイレットロール製品においては、かかるコンビニエンストア等の小店舗における販売形態には適しておらず、種々の不都合が生ずる。
例えば、（１）コンビニエンスストアにおいては、スーパーマーケットやホームセンターと比較して商品陳列棚におけるスペースが狭く、従来の４〜１８ロールのような多数個がセットされた製品を陳列し難い。また（２）コンビニエンスストアにおいては、いわゆるレジ袋に入る程度の小さい品物が購入されることが多いが、従来製品は、このような小さい品物の購入とともに購入されることが考慮されていない。（３）さらに、特に、コンビニエンスストアを利用する機会が多いと思われる若い女性などにおいては、多量のトイレットペーパーを露出したまま持ち帰るのに抵抗を感じることがある。（４）また、高齢者においては、嵩ばる多数ロールが包装を持ち帰るのに困難を生ずる場合がある。（５）また、世帯当たりの人数が少ない家庭では、従来製品のような多数ロールであると、多数個を消費するまでの期間が長く、開封後長期間保管しなければならないため衛生面において問題がある。（６）さらに、このような長期保存は、特に、ワンルームマンション等に多く見られるトイレ浴槽一体型のユニットバスなどで保管するにはスペースの点でも衛生面でも適さない。（７）また、従来フィルム包装の製品は、開封後に製品のいくつかを取り出したときにフィルムの余り部分がくしゃくしゃとして見栄えが悪い。
このように、従来の４〜１８ロールがフィルム包装されている製品形態は、コンビニエンスストアの普及や、種々の生活スタイルにおいて様々な問題点がある。
【０００３】
他方、近年、トイレットロールの使用環境であるトイレ或いは便器のデザイン性が格段に向上してきたり、部屋の間取りに対するトイレの位置などに変化が見られてきたりすることから、従来のペーパーホルダーを壁等に設置して常に一定の位置にトイレットロールを設置する態様よりも、ティシュペーパーのボックスのように持ち運んでどこでも使用できたり、設置位置を自由にできたり、さらには使用中にトイレットロールが外部から視認できないことが望ましい場合が考えられるようになってきた。また、トイレットロールのなかには、ペーパーに香料を付与した所謂香り付きと称されるものがあるが、従来のペーパーホルダーに設置する態様であると、その香料がトイレ内やその周辺に飛散して、トイレ内あるいはその周辺が意図する以上の強い香りとなってしまう場合があった。
そして、従来の４〜１８ロール程度の個数をフィルム包装してセットとして市販されている製品は、壁等に設置されたペーパーホルダーの利用を前提としていることから、このような使用態様の変化に対応できない。
【先行技術文献】
【特許文献】
【０００４】
【特許文献１】特願２００７−６５８０１号公報
【特許文献２】特願２００５−３３１２３６号公報
【特許文献３】特開２０００−４０３４０８号公報
【特許文献４】特開平１１−２４１０５６号公報
【特許文献５】特開平５−２１８５１４号公報
【特許文献６】特願２００３−３７９６８５号公報
【特許文献７】実願平６−１３２８６号公報
【特許文献８】特願２００２−２７０２３２号公報
【発明の概要】
【発明が解決しようとする課題】
【０００５】
そこで、本発明の主たる課題は、上述の種々の問題点を解決し、特に狭いスペースで陳列することができるとともに、購入後に持ち帰るにあたっては第三者がそれがトイレットロールであることが容易には認識することができず、また、コンパクトで持ち運びしやすく、保管スペースも少なく、さらには自身がディスペンサー機能を有してペーパーホルダーがなくとも極めて使用しやすく、しかもインテリア性、デザイン性に富むことができる、トイレットロール製品を提供することにある。
【課題を解決するための手段】
【０００６】
上記課題を解決した本発明及びその作用効果は次記のとおりである。
＜請求項１記載の発明＞
収納箱内にトイレットロールが収納されたトイレットロール製品であって、
前記収納箱は、トイレットロールの周面が対面する面に取り出し口又は取り出し口形成ミシン目線を有し、かつ、その取り出し口又は取り出し口形成ミシン目線を箱内面から覆う外側フィルム及び内側フィルムとを有し、前記外側フィルムと内側フィルムとは、前記取り出し口又は取り出し口形成ミシン目線の範囲内においてその縁部同士が互い違いに重なりあって、内部に収納されたトイレットロールを引出し可能とするスリット口を形成し、かつ前記取り出し口又は取り出し口形成ミシン目線の裂開により形成される取り出し口の縁をヒンジとする封止片を有し、
前記内側フィルム及び外側フィルムの、厚みが１５０〜２５０μｍであり、強度が１５０〜２５０ｋｇ／ｃｍ2であり、モジュラスが１５ｋｇ／ｃｍ2〜５０ｋｇ／ｃｍ2であり、前記内側フィルム及び外側フィルムの少なくとも一方は前記重なり合う部分が粗面化されていることを特徴とするトイレットロール製品。
【０００７】
＜請求項２記載の発明＞
取り出し口又は取り出し口形成ミシン目線の裂開により形成される取り出し口の縁をヒンジとする封止片の先端部が、収納箱に収められたトイレットロールの軸心と平行な折り筋を介して、収納箱内面側に向かって屈曲可能に構成されている請求項１記載のトイレットロール製品。
【０００８】
＜請求項３記載の発明＞
内側フィルムの収納箱内面側に隣接して抑え片が取り出し口範囲に延在され、前記封止片を取り出し口に押し当てたさいに、前記抑え片が封止片を支持するように構成されている請求項１記載のトイレットロール製品。
【０００９】
＜請求項４記載の発明＞
前記粗面化が、エンボス加工、熱処理加工によるものである請求項１記載のトイレットロール製品。
【００１０】
＜請求項５記載の発明＞
前記内側フィルム及び外側フィルムが、エチレン酢酸ビニル共重合体フィルム、ポリプロピレンフィルム、二軸延伸ポリプロピレンフィルムの何れかである請求項１記載のトイレットロール製品。
【００１１】
＜請求項６記載の発明＞
内側フィルム及び外側フィルムは、モジュラスが１５ｋｇ／ｃｍ2以上である請求項１記載のトイレットロール製品。
【００１２】
（作用効果）
本発明においては、トイレットロールが収納箱に納められているとともに、外側フィルムと内側フィルムとが、前記取り出し口又は取り出し口形成ミシン目線の範囲内においてその縁部同士が互い違いに重なりあって、内部に収納されたトイレットロールを引出し可能とするスリット口を形成しているため、トイレットロールを引き出したときに、その重なり合い部分がシートを挟持するため、シートを引き出してもロールが内部で過度に回転することなく、スムーズに引き出すことができ、そのままディスペンサーとして機能する。
したがって、購入者は、設置位置をきにすることなくどこでも使用できるし、いわゆるポップアップ式のティシュペーパーと同様に、室内を持ち歩いて移動することができる。また、コンパクト性にも優れるようになる。
【００１３】
特に本発明においては、  前記内側フィルム及び外側フィルムの厚みが１００〜１５０μｍであり、強度が１５０〜２５０ｋｇ／ｃｍ２であり、かつ、前記内側フィルム及び外側フィルムの少なくとも一方の重なり合う部分が粗面化されているので、内外各側フィルムが適度な厚さで、各フィルムの強度が保持されるとともに、シート引出し時に当該引き出されたシートを内外各側フィルムが適度に支持するとともに、その重なり合い部分とシートとの摩擦が適度なものとなり、シートがスムーズに引き出せるようになる。
すなわち、内側フィルム及び外側フィルムの少なくとも一方を粗面化することで、デザイン性に優れるとともに、勢いよくシートを引出しても、シートとフィルムの摩擦によって、ブレーキ作用が働き、収納箱内部での過度のロールの回転が防止される。
【００１４】
なお、内側フィルム及び外側フィルムの少なくとも一方の収納箱内面側に香料が担持されていることとすれば、ペーパーに香料を付与されたものでなくても、シートが内側フォルムと外側フィルムと擦れる際に、ペーパーに香りが付与されることになる。従って、従来の香り付きのトイレットロールを、従来のペーパーホルダーに設置する態様で問題となっていた、その香料がトイレ内に飛散して、トイレ内が意図する以上の強い香りとなってしまうという問題が改善される。
【００１５】
さらに、この効果は、前記各フィルムにおける粗面化が、エンボス加工、熱処理加工によるものであるとより一層効果的なものとなる。
【００１６】
また、かかるフィルムは、上記の効果に加えてコスト面、取り扱い性さらには衛生面からして、エチレン酢酸ビニル共重合体フィルム、ポリプロピレンフィルム、二軸延伸ポリプロピレンフィルムの何れかであるのが望ましい。
【００１７】
また、内側フィルム及び外側フィルムは、モジュラスが１５ｋｇ／ｃｍ2以上であると、シート引出し性及び、引出し時のシート支持性がより一層良好なものとなる。
【００１８】
他方、本収納箱は、ロール形状、低坪量に拘泥されるトイレットロールを構成する衛生薄葉紙よりも、印刷性に優れるものとすることができ、デザイン性の高い模様を付することで、製品全体としてデザイン性、インテリア性の高いものとすることができる。さらに、ロール形状、低坪量に拘泥されるトイレットロールと異なり、収納箱自体はその形状をデザインすることができるためデザイン性、インテリア性の高いものとすることができる。
【００１９】
また、トイレットロールが収納箱内に納められているとともに、その収納箱が上述のようにディスペンサー機能を有していることから、使用に際して、例えば、従来のペーパーホルダーでの使用態様のように、トイレットロールの回転軸を水平或いは横方向としてシートを引き出す使用態様に限定されず、例えば、回転軸を垂直方向、縦方向としてシートを引き出す使用態様も可能となる。
【００２０】
さらに、従来のフィルム包装では、トイレットロールの形状、積み重ね形状に沿った製品外観となるため、一見してトイレットロール製品であることが理解出来る外観であったが、本発明では収納箱の形状により外観が定まるため一見してそれがトイレットロールであることが理解しがたい製品となる。また、従来のフィルム包装と比較して、強度面において、また、収納箱内に収めることにより、トイレットロールの形状に依存しない載置形態をとることができるため（例えば、従来包装形態では常に端面が上下になるようにしか陳列し難かった。）商品陳列棚における設置スペースを減少させたり、種々の陳列形態をとることが可能となる。
【００２１】
また、収納箱に収められていることから、従来のフィルム包装と比較して開封後に外装フィルムの一部が余ってくしゃくしゃになり見栄えがわるくなるという欠点もない。
【００２２】
また、トイレットロールを１〜３個程度収納、特に１個収納することとすれば、極めてコンパクト性に優れるようになるとともに、従来技術において示した、コンビニエンスストアにおける利便性、コンビニエンスストアを利用する生活スタイルに特に適したものとなる。
【００２３】
また、前記取り出し口又は取り出し口形成ミシン目線の裂開により形成される取り出し口は、その取り出し口の縁の一部をヒンジとする封止片を有するものとすれば、使用開始後にもスリットが封止できるため、衛生面に優れるようになる。
【００２４】
そのうえ、取り出し口の縁の一部をヒンジとする封止片の先端部が、収納箱に収められたトイレットロールの軸心と平行な折り筋を介して、収納箱内面側に向かって屈曲可能に構成されている場合、このように屈曲させて使用すれば、スリット間から引き出されたシートを前記屈曲した先端縁で抑えてカットすることができるようになり、引出したシートのカット性が向上する。
【００２５】
また、そのような使用をするにあたって、内側フィルムの収納箱内面側に隣接して抑え片が取り出し口範囲に延在され、前記封止片を取り出し口に押し当てたさいに、前記抑え片が封止片を支持するように構成されていると、前記屈曲された先端縁をフィルムに押しつけてもフィルムが伸びたり、剥がれたりすることがなくなり、スリット口構成の耐久性が向上するとともに、シートカット性が良好になる。
【発明の効果】
【００２６】
以上の本発明によれば、特に狭いスペースで陳列することができるとともに、購入後に持ち帰るにあたっては第三者がそれがトイレットロールであることが容易には認識することができず、また、コンパクトで保管スペースを少なくでき、設置位置を問わず使用することができるとともに室内外において持ち運んで使用することができ、さらにインテリア性、デザイン性に富むことができ、しかも極めて優れた引出し性等の使用性に優れる、トイレットロール製品が提供される。
【図面の簡単な説明】
【００２７】
【図１】本発明にかかるトイレットロール製品の正面側からの斜視図である。
【図２】本発明にかかるトイレットロール製品の構造を説明するための図である。
【図３】本発明にかかるトイレットロール製品の正面図である。
【図４】本発明にかかる内側フィルムと外側フィルムとの関係を示す断面図である。
【図５】本発明にかかるトイレットロール製品の構造を説明する他の図である。
【図６】本発明にかかるトイレットロール製品の背面側からの斜視図である。
【図７】本発明にかかるトイレットロールの例を示す斜視図である。
【図８】本発明にかかるトイレットロールの別の例を示す斜視図である。
【発明を実施するための形態】
【００２８】
次いで、本発明の実施の形態を図１〜８を参照しながら以下に詳述する。
本発明は、収納箱１の内部にトイレットロールＲが収納されたトイレットロール製品Ｘ１である。以下、具体的に説明する。
本形態の製品における収納箱１は、トイレットロールＲの周面Ｒ１が対面する面に取り出し口又は取出し口形成ミシン目線２１が形成された箱本体１０と、その取り出し口等を箱内面から覆う外側フィルム３１及び内側フィルム３２とを有する（図示例は、取出し口形成ミシン目線が形成された形態である）。
【００２９】
箱本体１０は、収納箱Ｘ１の外郭をなすものであり、その大きさ、形状、構造、展開形状等は適宜の構成を採用できる。
【００３０】
箱本体の形状の具体例としては、図示のような、実質的に、正面１１、側面１２、背面１３、天面１４、底面１５が矩形である直六面体形状が好ましい形状として挙げられる。
【００３１】
ただし、収納箱１の形状は、この直六面体形状に限らず、円筒状、多角柱状等であってもよい。もちろん、収納箱１（箱本体１０）の形状は、このような単純な立体形状に限らない。
【００３２】
なお、以下、図示例を参照しながら、便宜上、取り出し口形成ミシン目線を形成した面を正面１１として説明するが、本発明においては、必ずしもこの面を正面として使用しなければならないことを意図するものではない。すなわち、本発明のトイレットロール製品の使用にあたっては、使用者がこの正面に対面して使用しなければならないわけではない。
【００３３】
他方、箱本体は、商品陳列の点や使用時にトイレ内で載置しやすいなどの点から少なくとも平坦な面を有するのが望ましく、製品同士が積み重ねられる点で平行な二つの平面を有する形状が望ましい。特に、好適な形状は、構造が比較的単純であり、製造も容易であるとともに、いずれの面同士を隣接、上下に重ねて並べても商品陳列スペースを取らず、コンパクト性に優れる直六面体形状である。
【００３４】
箱本体を直六面体とするのであれば、その具体的な構造例としては、特に図２に示すように、正面１１、背面１３、天面１４、底面１５及び、正面１１の正面側縁１１Ｅと背面１３の背面側縁１３Ｅからそれぞれ延在する側面短片１２ｓ，１２ｓ、天面１４の側面側縁１４Ｅから延在する側面片１２Ａと、この側面片１２Ａの先端に連接する側面先端片１２ｔとを有して、前記側面短面片１２ｓ，１２ｓを側面側（箱内面側）に折曲げ、これに重ねるようにして側面片１２Ａを重ね合わせ、前記側面先端片１２ｔを収納箱内部側に折曲げるようにして差し込んでなる、キャラメル箱の様な構造が好ましい構造として例示できる。
【００３５】
その他の箱本体１０の構造としては、例えば、所謂ティシュカートンと同様の構造が挙げられる。ただし、箱本体１０はこれらの構造に限られず、既知の包装箱の構造を適宜採用できる。
なお、収納箱１の大きさは、トイレットロールＲの大きさ、収納個数に応じて適宜設定する。
【００３６】
他方、本製品にかかる収納箱１においては、その側面１２に内部のトイレットロールを交換するための開閉自在な蓋部を有するのが望ましい。この蓋部は、例えば、上述のキャラメル箱様の構造を採れば、側面を構成する側面片１２Ａが、側面先端片１２ｔの差し込み、引き抜きを選択することで、天面１４との境界１４Ｅをヒンジとするヒンジ蓋とするようにすればよい。ただし、図示はしないが、ヒンジ蓋は、適宜の裂開用ミシン目を配置して、これの裂開によって形成されるようにしてもよい。
【００３７】
他方、本発明の製品Ｘ１では、箱外面には既知の印刷技術などによって模様等をほどこしたり、エンボス加工を施すなどしたりして、デザイン性を高めるのが望ましい。このようなデザイン性のあるものとすれば、購買意欲を喚起させる製品となるとともに、家庭での製品保管時のインテリアとの相性に優れるものとなり、さらに、コンビニエンスストア等の雑多な小店舗内において購入対象者が商品を発見しやすくなるという利点がある。
【００３８】
ここで、本発明の箱本体１０は、例えば、バージンパルプ、古紙パルプ等の各種のパルプを主原料とする既知の板紙素材により形成することができる。前記板紙は、剛性を確保できる点で、好適には、坪量２５０〜５００ｇ／ｍ2、好適には３５０〜４００ｇ／ｍ2のコートボール紙である。
【００３９】
他方、本発明の製品Ｘ１においては、取り出し口形成ミシン目線が形成されている正面以外の面、例えば背面１３、或いは側面１２の外面側に壁、便器、貯水タンクなどへの取付けるための取り付け手段４０が設けられているが望ましい（図示例では背面に設けている）。かかる取り付け手段４０によって、製品を載置して使用するだけでなく、種々の使用態様が可能となる。取り付け手段４０としては、フックを掛けるための孔、この孔形成様の裂開様ミシン目線など適宜の取り付け手段が挙げられる。好適な例としては、図示されるように粘着テープ４０によるものである。この図示例では、粘着テープ４０の粘着面が被覆テープで被覆されており、使用態様に応じて被覆テープを剥離して粘着面を露出して壁等へ貼付して取り付けることができるように構成している。
【００４０】
他方、本発明の製品Ｘ１では、側面１２にトイレットロールＲの管芯内Ｒ２に挿入され、前記トイレットロールＲを回動自在に支持する、支持片又は支持片形成ミシン目線を設けるのが望ましい（図示例は、支持片形成ミシン目線を配置した例である）。具体例としては、図示例のように、箱本体１０の側面１２のほぼ中央部に、箱内に収納されたトイレットロールＲの管芯Ｒ２に対面する位置に、一対の押し込み片が形成されるように押し込み片ミシン目線５０，５０を配して、このミシン目線内を押し込むようにしてミシン目線を裂開すると押し込み片が形成されるとともに、その押し込み片が収納箱内に収納されたトイレットロールＲの管芯Ｒ２内に挿入されるようにした構成が例示できる。かかる押し込み片の形成によって、内部のトイレットロールＲが回動自在な状態で好適に軸支持されるようになる。なお、使用にさいしてこの支持片が底側或いは上側にしての使用を想定するのであれば、一方側面のみに支持片などを形成する態様とすることができる。
【００４１】
他方、前記取り出し口形成ミシン目線２は、本形態においては、そのミシン目線２の裂開によりヒンジ蓋状の封止片２０が形成されるようになっている。より具体的には、図示の形態では、天面１４の縁に平行な直線上の折り筋２１とこの折り筋の両端から底面側に向かう二本の平行なミシン目線２Ａ，２Ａとこれらのミシン目線２Ａ，２Ａの両端を繋ぐミシン目線２Ｂによる略コ字状にミシン目線が配されており、この略コ字状のミシン目線の裂開よって、前記折り筋２１をヒンジとするヒンジ蓋状の封止片２０が形成されるとともに、箱本体１０に取り出し口２’が形成されるようになっている。なお、ミシン目線２は、図示例の略コ字状に限らず、例えば、似ベースボール型、アーチ型等とすることができる。また、ヒンジとなる折り筋２１は、必ずしも天面１４に平行である必要はない。さらに、ミシン目線２Ａ，２Ｂの具体的な長さ、折り筋２１の具体的な長さ、位置は、収納するトイレットロールＲの大きさや個数に応じて適宜、設定する。但し、ヒンジとなる折り筋２１は図示例の如くミシン目線２Ｂに対して天面１４側にある形態が望ましい。ヒンジ蓋状の封止片２０を形成したときに、封止片２０の底面１５側が自由側となり、開封後に保管したときに上方からの埃や塵の進入を効果的に防止できるものとなる。
【００４２】
他方、本製品Ｘ１では特徴的に前記取出し口又は取出し口形成ミシン目線２の範囲を収納箱内面側から、外側フィルム３１と内側フィルム３２との２枚のフィルムによって覆っている。この外側フィルム３１と内側フィルム３２とは、前記取り出し口形成ミシン目線２で囲まれる範囲内においてその縁部同士が互い違いに重なりあうようにして、その重なり縁部分３５が内部に収納されたトイレットロールを引出し可能とするスリット口３６を形成している。なお、本発明及び本明細書における外側フィルム３１、内側フィルム３２とは、前記重なり縁部分３５において箱内面側に位置するフィルムを内側フィルム、箱外面側に位置するフィルムを外側フィルムと称している。
【００４３】
上記構成により、当該スリット口３６から内部のロールペーパーＲからシートＳを順次引き出して、ディスペンサーとしての使用が可能となる。なお、図示例は、取出し口形成ミシン目線２を配した例であり、本例においては、前記スリット口３６は、ミシン目線２の裂開による取出し口２’の形成とともに外面に露出する。ここで、スリット口３６の幅は、内部に収納されたトイレットロールＲの幅よりも幅広となるようにする。
【００４４】
他方、内側フィルムと外側フィルムとの重なり縁部分３５の幅は、２０〜４０ｍｍとするのが望ましく、特に２５〜３５ｍｍとするのが極めて望ましい。この２５〜３５ｍｍ幅であると、トイレットロールＲから引き出されたシートＳと当該縁部分５との摩擦及び箱外面へのシートの案内に優れ、使用性に優れたものとなる。
【００４５】
ここで、図示の形態では、外側フィルム３１が天面１４側に位置し、内側フィルム３２が底面１５側に位置する態様であるが、この逆であっても良い。外側フィルム３１が天面側に位置し、内側フィルム３２が底面側に位置している形態とすれば、当該底面を下側として載置したときに、箱外側からはトイレットロールＲから引き出されたシートＳが天面側（上側）から底面側（下側）に向かって、すなわち下方に向かって引き出される態様となり、ペーパーホルダーを利用した一般的なトイレットロールＲの使用態様に近い態様となる。
【００４６】
前記外側フィルム３１と内側フィルム３２とは、取り出し口形成ミシン目線２で囲まれる範囲の外周縁部において、箱本体内面に接着すればよく、接着態様は、周縁に対して熱圧着、熱融着、接着剤により貼付することができる（図示例においては接着部分を符号３７で示す）。
【００４７】
他方、本発明にかかる前記内側フィルム及び外側フィルムの少なくとも一方の重なり合う部分が粗面化されている。その粗面化は、例えば、エンボス加工、熱処理加工によるものが望ましい。コスト安に効果的に粗面化を達成できる。このように粗面化されていることにより、デザイン性に優れるとともに、適度な摩擦が生じて、シートＳを引き出す際に良好な抵抗が生じ、シートＳの引出し性が向上する。
【００４８】
ここで、各フィルム３１，３２の厚さについては、上記粗面化と相まって十分な効果を発揮されるように、１００〜２５０μｍとする。１００μｍ未満であると強度不足となって破損のおそれがあり、２５０μｍを超えてもコスト高となるだけである。また、強度が１５０〜２５０ｋｇ／ｃｍ２であるのが望ましい。
【００４９】
これら外側フィルム３１及び内側フィルム３２は、例えば、樹脂製の透明、不透明、半透明のフィルムが例示でき、適宜の印刷が施されているのが望ましい。透明であれば、内部のロール状態が視認可能となるので、例えば、模様付きトイレットロール等を外部から視認可能となる点で望ましい。
【００５０】
ここで、各フィルムの素材は限定されるものではないが、例示すると、ポリプロピレンフィルムシート、ポリエチレンフィルムシート、ポリビニルアルコールフィルムシート、ポリエチレンテレフタレートフィルムシート、アクリルフィルムシートなど既知の樹脂製フィルムが採用できる。
【００５１】
好ましくは、板紙への密着性に優れるなどの利点があり、耐久効果もあり、焼却廃棄時に有害ガスの発生し難く、しかも安価であるポリプロピレンフィルムシート、そのなかでも、非延伸のいわゆるＣＰＰよりも、二軸延伸のいわゆるＯＰＰ、もしくはエチレン酢酸ビニル共重合体フィルムが特に剛性や耐久性、シートの取り出しやすさ、粗面化の点で優れるため適する。なお、外側フィルム３１と内側フィルム３２とが異なる素材であってもよい。
【００５２】
また、内側フィルム及び外側フィルムは、モジュラスが１５ｋｇ／ｃｍ2〜５０ｋｇ／ｃｍ2以内であるのが望ましく、かかる範囲であるとシート引出し性及び、引出し時のシート支持性がより一層良好なものとなる。ここで、本発明におけるモジュラスとは、ＪＩＳ  Ｌ  １０１８に規定されるニット生地試験方法（５％モジュラス測定試験）に準じて測定した値をいう。この測定は、島津製作所社製、ＡＵＴＯＧＲＡＰＨ、ＡＧＳ−ＩＫＮＤにより測定することができる。
【００５３】
さらに、本製品Ｘ１においては、外側フィルム３１及び内側フィルム３２の少なくとも一方の収納箱内面側に香料が担持されているものとすることができる。香料の担持方法や香料自体は特に限定されるものではないが、例示すれば、担持方法としては、香料をそのままフィルム原料に練り込むことで担持させたり、マイクロカプセル内に内包させてバインダー等によってフィルム表面に付着させるようにしたりする。マイクロカプセルによるものとするのであれば、少なくとも内側フィルムと外側フィルムとが重なり合う部分の両フィルムが対面する部分には担持させる。このようにすると、シートＳを引き出す際に、マイクロカプセルが壊れて、引出しにともなってシートに香料が付着するようになる。
【００５４】
なお、本発明に係るトイレットロール製品Ｘ１においては、トイレットロールＲの収納形態として、好ましくは、本発明の効果であるコンパクト性の点で１個のトイレットロールＲが収納されているのが望ましい。
但し、内在するロールを２個および３個とする場合には、使用時にロール周面同士が接しないように、支持片の位置と包装容器の形状および取出口の位置と数を設定する。
【００５５】
ここで、本製品において収納箱内に収納されるトイレットロールの基本的な構成は、帯状の連続衛生薄葉紙を紙管に適宜巻き取ってなる従来既知のものが用いられる。シートが２プライであるか３プライであるか等のトイレットロールにおける既知の構成については特に限定はされない。
【００５６】
ただし、本製品Ｘ１においては、使用開始時にトイレットロールＲのシート端部Ｓを収納箱外側から引き出す必要がある。従って、本製品Ｘ１においては、例えば、図７に示すように、トイレットロールＲをそのシート端部Ｓが狭窄となるようにし、このトイレットロールＲを収納箱内にそのシート端部Ｓが外側フィルム３１と内側フィルム３２との重なり縁部分３５の範囲内に位置させて当該重なり縁部３５で挟持させる態様で収納させたり、さらにそのシート端部Ｓをスリット口３６から一部露出させるようにして収納しておくのが望ましい。このようにすれば、特に取出し口形成ミシン目線２を有する形態では、ミシン目線２の裂開してスリット口３６が露出すると、当該スリット口３６からシート端部Ｓが露出するので直ぐにそのシート端部Ｓを摘んで使用することができる。
【００５７】
また、図８に示すように、トイレットロールＲをシート端部Ｓに粘着テープ６０を配したものとして、その粘着テープ６０をスリット口を介して各フィルム３１，３２よりも箱外面側に露出させ、さらに取出し口形成ミシン目線２で囲まれる範囲の箱内面側に接着しておくようにすれば、ミシン目線２の開封と同時にシートＳが引き出され、その使用開始時の利便性が高まるものとなるので、かかる態様とするのも望ましい。この場合の粘着テープは既知のものが使用できるが、弱粘着あるいは再剥離、再接着可能であるものが使用開始時に剥離しやすく望ましい。
【００５８】
他方、本発明においては、図示例の如く、前記封止片２０のヒンジ２１と平行に折り筋２５が形成されており、この折り筋２５をもって、ヒンジ蓋状の封止片２０の先端部２５Ａが、収納箱内面側に向かって屈曲可能に構成されている。なお、折り筋２５とは、予め折り曲げを容易にするための線であり、溝線、ミシン目線、さらには印刷により目視的に折曲げることと視覚的認識できるようにした線を包含する。
【００５９】
そして、この先端部２５を屈曲させることで、ヒンジ蓋状の封止片２０の先端縁が、外側フィルム３１及び内側フィルム３２の間を通って引き出されたシートＳに対して接するようにすることができ、もってその封止片２０の先端縁をカット縁として、シートをカットしやすくなるという効果を奏する。
【００６０】
さらに、本発明にかかる収納箱においては、図４から理解されるように、内側フィルム３２の収納箱内面側に隣接して抑え片２６が取り出し口２’範囲に延在され、前記封止片２０を取り出し口２’に押し当てたさいに、前記抑え片２６が封止片２０を支持するように構成されている。
【００６１】
従って、使用するにあたって、例えば、各フィルム３１，３２の間のスリット口３６からシートＳを引き出した後、前記封止片２０を内側フィルム３２に押し当てると、前記抑え片２６がその封止片２０及び内側フィルム３２を支持し、もって引き出されたシートＳが封止片２０と、内側フィルム３２を介した抑え片２６とでしっかりと挟持されるため、当該挟持状態で、露出するシートＳを引っ張ると、容易にその封止片２０の先端縁２０Ｅに沿ってシートが切断されるようになり、使用感に優れたものとなる。
【００６２】
なお、抑え片２６の具体的作成については適宜設計事項である。例えば、別紙を断面Ｌ字状、断面コ字状の別紙を収納箱内面に接着剤２６Ｓにより貼付してもよいし、背面を構成する面から下面を構成する面の内側に沿って延在し、さらに前面の内側にそって起立するような構成に収納箱本体を形成するようにしてもよい。これは適宜の設計事項である。
【００６３】
ここで、以上の説明では、取り出し口を形成した面を便宜的に正面として説明したが、本発明は、この正面に対面しての使用に限定されるものではない。従って、例えば、上記説明の箱側面に需用者が正面として認知するように印刷・模様・文字・図形を施した態様としてもよい。また、例えば、収納されるトイレットロールの端面が上下方向となる態様で使用するようにしてもよい。この場合ならば、ロールの軸方向と略平行にある取出口は、使用の際には縦長のものとして認知されるものとなるがこれも本発明の製品である。すなわち、取り出し口は、使用時に底面となる面以外の任意の面、位置にあればよいのである。
【００６４】
以上、詳述の本発明のトイレットロール製品Ｘ１では、上述の従来製品における種々の課題が解決されるのである。
【実施例】
【００６５】
次いで、本発明にかかる製品の実施例及び比較例について、特に実使用にかかる引出し性等の試験を行ない評価した結果について説明する。各実施例及び比較例は、図１にかかる収納箱を形成し、取り出し口のスリットを構成するためのフィルムを各種変更したものである。各例についての具体的な内側フィルム及び外側フィルムの素材、物性、各種粗面化加工、物性等については下記表１に示すとおりである。なお、トイレットロールは各例について同じものを使用した。なお、具体的な試験方法と評価は以下のとおりである。
【００６６】
（１）引出し性
トイレットロールを最後まで引き出す操作を行い、フィルムの状況を目視にて確認した。評価は、トイレットロールが引出し中に切れてペーパー端が収納箱内に入り込み引出しが不能になるか否かを基本評価として、その他にフィルムが収納箱から剥がれないこと、フィルムがたるまないこと、フィルムが破けないことの３点を評価した。表１中評価の欄は、最後まで引き出すことができ、かつ、上記３点をすべて満たすものを○、最後まで引き出すことができ、かつ、上記２点を満たすものを△、最後まで引き出すことができない、或いは、上記２点以上満たさないものを×として表している。
【００６７】
（２）切り取り性
トイレットロールを最後直前まで引き出した後、封止片を用いてトイレットペーパーを切断する操作を行ない、その際のフィルムの状況等を目視等により確認した。
【００６８】
評価は、トイレットロールが引出し中に破れないことを基本として、その他に切り取り時にフィルムが破けないこと、切り取り時にフィルムが緩まないこと、ペーパーの切り取りがスムーズに行えることの３点を評価した。表１中評価の欄は、最後まで引き出すことができ、かつ、上記３点をすべて満たすものを○、最後まで引き出すことができ、かつ、上記２点を満たすものを△、最後まで引き出すことがでない、或いは、上記２点以上満たさないものを×として表している。
【００６９】
（３）ニップ性１
トイレットロールを最後まで引き出す操作を行い、フィルムの状況を目視にて確認した。評価は、トイレットロールが引出し中に切れてペーパー端が収納箱内に入り込み引出しが不能になるか否かを基本評価として、その他にトイレットロール（ペーパー）がフィルム間をスムーズに通ること、フィルム間のニップが緩まないこと、フィルムが破けないことの３点を評価した。表１中評価の欄は、最後まで引き出すことができ、かつ、上記３点をすべて満たすものを○、最後まで引き出すことができ、かつ、上記２点を満たすものを△、最後まで引き出すことがでない、或いは、上記２点以上満たさないものを×として表している。
【００７０】
（４）ニップ性２
トイレットロールを適宜長さ引き出した後、封止片を用いてトイレットペーパーを切断する操作を行ない、次にペーパー端を引出しやすいか否かにより確認した。
【００７１】
評価は、切り取り後にペーパー端部が上側下側のフィルムに密着して止まっているか否か、フィルムが破けないこと、ペーパーがスムーズに引き出せることの３点を評価した。表１中評価の欄は、上記３点をすべて満たすものを○、上記２点を満たすものを△、上記２点以上満たさないものを×として表している。
【００７２】
【表１】
0005564218.tif 000002
【００７３】
表１に示されるとおり、本願発明の製品は、各試験のすべての評価項目について○という結果となった。これに対して比較例は、何れかの評価で○がなく、比較例２と比較例１３を除けば、いずれも×の評価のあるものとなった。また、比較例２と比較例１３については○の評価がなく△の評価のみである。
このことから、本願発明のトイレットロール収納製品は、使用時におけるトイレットロールの引出し、切断という操作にかかる点において極めて優れたものであることが示されたといえる。
【符号の説明】
【００７４】
Ｘ１…トイレットロール製品、Ｒ…トイレットロール、Ｒ１…トイレットロールの周面、Ｒ２…トイレットロールの管芯、Ｓ…シート（シート端部）１…収納箱、２，２Ａ，２Ｂ…取出し口形成ミシン目線、２’…取出し口、１０…箱本体、１１…正面、１１Ｅ…正面の正面側縁、１２…側面、１２Ａ…側面片、１２ｓ…側面短片、１２ｔ…側面先端片、１３…背面、１３Ｅ…背面の背面側縁、１４…天面、１４Ｅ…天面の側面縁、１５…底面、２０…封止片、２１…折り筋、２５…折り筋、２５Ａ…屈曲部、２６…抑え片、３１…外側フィルム，３２…内側フィルム、３５…外側フィルムと内側フィルムとの重なり部分、３６…スリット口、３７…接着部、４０…取り付け手段（粘着テープ）、５０…支持片形成ミシン目線（押し込み片形成ミシン目線）６０…粘着テープ。
【図１】
0005564218.tif 000003
【図２】
0005564218.tif 000004
【図３】
0005564218.tif 000005
【図４】
0005564218.tif 000006
【図５】
0005564218.tif 000007
【図６】
0005564218.tif 000008
【図７】
0005564218.tif 000009
【図８】
0005564218.tif 000010